(57)【特許請求の範囲】
【請求項１】
画像形成装置の機能を拡張するコントローラ装置であって、
印刷ジョブを発行するクライアント端末が接続されたネットワークと通信するための第１の通信手段と、
前記画像形成装置と通信するための第２の通信手段と、
前記第１の通信手段で受信した印刷ジョブに記述された機能拡張指示情報に基づき出力用画像データを生成する画像処理手段と、
生成した出力用画像データを前記第２の通信手段を介して前記画像形成装置に出力する出力手段とを備え、
更に、前記画像形成装置で記録可能な記録媒体の種類毎に、前記画像形成装置が有するデータベース内の記録紙名とは独立したユーザ記録紙名情報と、記録媒体のリカバリー要求メッセージを前記画像形成装置から受信した場合に当該メッセージ中のプリンタ記録紙名情報を使用するか、前記ユーザ記録紙名情報を使用するかを示す情報を格納するユーザ記録紙データベースを記憶する記憶手段と、
前記第２の通信手段を介してリカバリー要求メッセージを受信した場合、前記記憶手段を参照して、前記ユーザ記録紙名情報、前記プリンタ記録紙名情報のいずれを用いるかを決定してリカバリ要求メッセージを再生成し、再生成したリカバリー要求メッセージを出力する出力手段とを備え、
前記出力手段は、リカバリー要求メッセージを前記クライアント端末に前記第１の通信手段を介して出力することを特徴とするコントローラ装置。
【請求項２】
前記出力手段は、更に、リカバリー要求メッセージをコントローラ装置の表示部に出力することを特徴とする請求項１記載のコントローラ装置。
【請求項３】
前記出力手段は、更に、リカバリー要求メッセージを前記画像形成装置に出力することを特徴とする請求項１記載のコントローラ装置。
【請求項４】
前記第２の通信手段は、前記画像形成装置とステータス通信を行なうためのネットワークインタフェースと、出力用画像データを転送するための独立した転送バスインタフェースとを含むことを特徴とする請求項１に記載のコントローラ装置。
【請求項５】
更に前記記憶手段は、ネットワーク上からの要求に従ってユーザ記録紙に関する情報を前記ユーザ記録紙名情報として格納することを特徴とする請求項１に記載のコントローラ装置。
【請求項６】
印刷ジョブを発行するクライアント端末が接続されたネットワークと通信するための第１の通信手段と、機能を拡張する対象となる画像形成装置と通信するための第２の通信手段とを有し、前記画像形成装置の機能を拡張するコントローラ装置の制御方法であって、
前記第１の通信手段で受信した印刷ジョブに記述された機能拡張指示情報に基づき出力用画像データを生成する画像処理工程と、
生成した出力用画像データを前記第２の通信手段を介して前記画像形成装置に出力する出力工程とを備え、
更に、前記画像形成装置で記録可能な記録媒体の種類毎に、前記画像形成装置が有するデータベース内の記録紙名とは独立したユーザ記録紙名情報と、記録媒体のリカバリー要求メッセージを前記画像形成装置から受信した場合に当該メッセージ中のプリンタ記録紙名情報を使用するか、前記ユーザ記録紙名情報を使用するかを示す情報を格納するユーザ記録紙データベースを記憶する記憶工程と、
前記第２の通信手段を介してリカバリー要求メッセージを受信した場合、前記ユーザ記録紙データベースを参照して、前記ユーザ記録紙名情報、前記プリンタ記録紙名情報のいずれを用いるかを決定してリカバリ要求メッセージを再生成し、再生成したリカバリー要求メッセージを前記クライアント端末に前記第１の通信手段を介して出力する出力工程と
を備えることを特徴とするコントローラ装置の制御方法。
【請求項７】
ネットワークに接続され、印刷ジョブを発行する１以上のクライアント端末と、画像形成装置と、当該画像形成装置の機能を拡張するコントローラ装置とで構成されるネットワーク印刷システムであって、
前記コントローラ装置は、
印刷ジョブを発行するクライアント端末が接続されたネットワークと通信するための第１の通信手段と、
前記画像形成装置と通信するための第２の通信手段と、
前記第１の通信手段で受信した印刷ジョブに記述された機能拡張指示情報に基づき出力用画像データを生成する画像処理手段と、
生成した出力用画像データを前記第２の通信手段を介して前記画像形成装置に出力する出力手段と、
前記画像形成装置で記録可能な記録媒体の種類毎に、前記画像形成装置が有するデータベース内の記録紙名とは独立したユーザ記録紙名情報と、記録媒体のリカバリー要求メッセージを前記画像形成装置から受信した場合に当該メッセージ中のプリンタ記録紙名情報を使用するか、前記ユーザ記録紙名情報を使用するかを示す情報を格納するユーザ記録紙データベースを記憶する記憶手段と、
前記第１の通信手段を介して、クライアント端末からプリンタ記録紙名情報の検索要求を受信した場合、前記第２の通信手段を介して前記画像形成装置からプリンタ記録紙名情報を取得し、検索要求に一致するプリンタ記録紙名情報を要求元のクライアント端末に送信する第１の送信手段と、
前記第２の通信手段を介してリカバリー要求メッセージを受信した場合、前記記憶手段を参照して、前記ユーザ記録紙名情報、前記プリンタ記録紙名情報のいずれを用いるかを決定してリカバリ要求メッセージを再生成し、再生成したリカバリー要求メッセージを前記クライアント端末に前記第１の通信手段を介して出力する出力手段とを備え、
前記各クライアント端末は、
前記コントローラ装置を画像形成装置として認識し、前記コントローラ装置の第１の通信手段に対して印刷ジョブを送信する印刷ジョブ発行手段を備え、
前記少なくともクライアント端末の１つは、
前記コントローラ装置の前記記憶手段にユーザ記録紙名情報を登録するため、複数の入力項目を有する設定ウインドウを表示する表示手段と、
所望とする入力項目について入力され、検索指示が入力された場合、入力済みの項目の情報を含む検索要求を前記コントローラ装置の第１の通信手段に送信する検索要求手段と、
該検索要求手段で検索要求したことで、受信したプリンタ記録紙名情報の中の１つを選択する選択手段と、
選択したプリンタ記録紙名情報に基づき、未入力項目を設定する設定手段と、
前記設定ウインドウで設定された情報を前記コントローラ装置が有する記憶手段に対して登録要求する登録要求手段と
を備えることを特徴とする印刷システム。
【発明の詳細な説明】
【技術分野】
【０００１】
本発明は、画像形成装置に接続されるコントローラ装置に関するものである。
【背景技術】
【０００２】
複数種類の記録紙を収納する複数の給紙カセットを有し、コピー／プリンタ／ファクシミリ機能を有するネットワーク接続可能なマルチファンクションデジタル複写機（ＭＦＰ）が知られている。この種の装置では、原稿の白黒反転（ネガ／ポジ反転）処理、原稿の一部のみを複写するトリミング処理、複数の原稿を縮小して１枚の記録紙上に合成して印刷する縮小レイアウト処理等の多様な機能を有するものもある。
【０００３】
デジタル複写機に搭載されているプリンタエンジンは、記録紙の種類毎に、印刷に関する画像形成の条件を最適化することが行われている。記録紙の種類は、一般には、光沢紙、普通紙、厚紙、透明シートに大別されるが、その中の普通紙１つをとっても、そのメーカ毎に坪量（単位面積当たりの重さ）が異なる。また、ユーザによっては、特別なすかしの入った用紙、特別の色の用紙を使用する場合もある。従って、厳密な意味での記録紙の種類は非常に多く、画像形成条件もその種類に応じた数だけ存在することになる。
【０００４】
そこで、デジタル複写機のメーカは、画像形成を最適化するため、各記録紙メーカ名を含めた記録紙ＤＢをそのデジタル複写機内のメモリに記憶させている。そして、ユーザは、デジタル複写機に設けられた操作パネルを操作し、記録紙ＤＢを参照することで記録紙の種類と給紙カセットとの関連づけを行なう。
【０００５】
ネットワーク上のクライアントＰＣのユーザは、所望とする文書や画像を印刷する場合には、デジタル複合機に収容されている記録紙の種類を選択し、印刷処理を実行することで、目的とする記録紙上に文書や画像を印刷することになる。
【０００６】
ところで、昨今では、デジタル複写機の印刷機能に対する高度な画像処理の要望が多くなっている。その１つに色再現性が挙げられる。一般的には、この要望に応えるためには、カラープロファイルをデジタル複写機に設定し、そのカラープロファイルを使用することを示すコマンド情報とそれに利用される記録紙の種類を指定するコマンド情報を印刷データに含ませることで実現できる。しかし、デジタル複写機の種類によっては、カラープロファイルを使用した印刷機能を持たないものもある。なお、ここで言うカラープロファイルはＩＣＣ（Ｉｎｔｅｒｎａｔｉｏｎａｌ  Ｃｏｌｏｒ  Ｃｏｎｓｏｔｉｕｍ）によって規定されたＩＣＣプロファイルが一般的に用いられる。
【０００７】
かかる点に鑑み、印刷装置とネットワークとの間に、その印刷装置では実現できない機能を実行するための独立したコントローラ装置を介在する技術が知られている（特許文献１）。つまり、このコントローラ装置が、ユーザからの要望に従ってカラープロファイルを設定し、ネットワークから受信した印刷データを、このカラープロファイルを利用して画像処理し、デジタル複写機に対して印刷用のビットマップイメージデータを出力する。この結果、デジタル複写機は、単に受信したビットマップデータをプリンタエンジンにより画像形成すれば良いことになり、ユーザのニーズに応えることができるようになる。
【特許文献１】特開２００５−１０８１１３公報
【発明の開示】
【発明が解決しようとする課題】
【０００８】
ところで、ネットワーク上のクライアント端末からは、上記コントローラ装置はあたかもプリンタとして認識されることになる。従って、クライアント端末では、このコントローラに対してカラープロファイルや記録紙の種類を指定することになる。
【０００９】
また、１つの企業等の団体では、利用する記録紙のメーカは固定であることが多い。つまり、そのメーカに限って言えば、「普通紙」と言えば「ｘｘｘ社の中性紙Ａ４縦目」を指すものとして運用していることが多い。従って、クライアント端末で印刷を指示する際に、ユーザが記録紙を選択際に、「ｘｘｘ社の中性紙Ａ４縦目」等を指定するのは混乱の元であり、単純に「Ａ４普通紙」等で指定できることが望ましい。
【００１０】
そこで、このユーザのニーズに応えるため、コントローラ装置にも、デジタル複写機と同様に記録紙ＤＢを搭載することが望まれる。
【００１１】
しかし、この場合、デジタル複写機等の印刷装置が備えている記録紙ＤＢと、コントローラ装置が有する記録紙ＤＢとの整合性が問題となることが予想される。
【００１２】
例えば、クライアント端末がコントローラ装置のＤＢを参照して「Ａ４普通紙」を指定して印刷し、デジタル複写機が該当する記録用紙「ｘｘｘ社の中性紙Ａ４縦目」を使用して印刷中に記録用紙切れが発生したとする。この場合、デジタル複写機が有する操作パネルには、「ｘｘｘ社の中性紙Ａ４縦目」を補給して欲しい旨のメッセージが表示されることになる。このメッセージと同じメッセージがクライアント端末に送信して表示することが望まれる場合と、クライアント端末には「Ａ４普通紙がなくなりました」というメッセージを送信し、表示させることが望ましい場合がある。前者が望ましいケースは、印刷ジョブを発行したクライアント端末のユーザ自らがデジタル複写機に記録用紙を装填する場合である。後者が望ましいケースは、印刷ジョブを発行したクライアント端末のユーザが、デジタル複写機の記録用紙装填する係りの者に連絡する場合であろう。
【００１３】
また、Ａ４サイズの普通紙にロゴの印刷されたプレプリント紙をユーザ用紙名として「ロゴ入り用紙」として登録する場合がある。その際に、用紙なしになった場合「Ａ４がなくなりました。」とプリンタの用紙名が表示されても、普通のＡ４を補給すればよいのか、プレプリント紙のＡ４を補給すればよいのか分からない。このような場合を考慮して、用紙がなくなった際に、ユーザ用紙名を表示してユーザに補給を促すと便利な場合がある。
【００１４】
しかしながら、一方で、用紙がなくなった際にユーザ用紙名を表示してしまうと不便な場合もある。たとえば、用紙Ａに対しＡ社用のカラープロファイルを設定して、ユーザ用紙名に「Ａ社」と登録し、同じ用紙Ａに対しＢ社用のカラープロファイルを設定して、ユーザ用紙名に「Ｂ社」と登録する場合がる。その際に、用紙がなくなった場合「Ａ社がなくなりました。」「Ｂ社がなくなりました。」と表示されても、ユーザは何の用紙を補給すればよいか分からないという課題がある。
【００１５】
このように、デジタル複写機等の画像形成装置とネットワークとの間にコントローラ装置を介在させる場合のクライアント端末に通知されるエラーメッセージは、ユーザの運用環境に応じたものとなることが望まれる。
【００１６】
本発明はかかる点に鑑みなされたものであり、デジタル複写機等の印刷装置の機能拡張するコントローラ装置をその印刷装置とネットワークとの間に介在させる場合に、ユーザの設定に合わせたメッセージを発生し得る技術を提供しようとするものである。
【課題を解決するための手段】
【００１７】
この課題を解決するため、例えば本発明のコントローラ装置は以下の構成を備える。すなわち、
画像形成装置の機能を拡張するコントローラ装置であって、
印刷ジョブを発行するクライアント端末が接続されたネットワークと通信するための第１の通信手段と、
前記画像形成装置と通信するための第２の通信手段と、
前記第１の通信手段で受信した印刷ジョブに記述された機能拡張指示情報に基づき出力用画像データを生成する画像処理手段と、
生成した出力用画像データを前記第２の通信手段を介して前記画像形成装置に出力する出力手段とを備え、
更に、前記画像形成装置で記録可能な記録媒体の種類毎に、前記画像形成装置が有するデータベース内の記録紙名とは独立したユーザ記録紙名情報と、記録媒体のリカバリー要求メッセージを前記画像形成装置から受信した場合に当該メッセージ中のプリンタ記録紙名情報を使用するか、前記ユーザ記録紙名情報を使用するかを示す情報を格納するユーザ記録紙データベースを記憶する記憶手段と、
前記第２の通信手段を介してリカバリー要求メッセージを受信した場合、前記記憶手段を参照して、前記ユーザ記録紙名情報、前記プリンタ記録紙名情報のいずれを用いるかを決定してリカバリ要求メッセージを再生成し、再生成したリカバリー要求メッセージを出力する出力手段とを備え、
前記出力手段は、リカバリー要求メッセージを前記クライアント端末に前記第１の通信手段を介して出力することを特徴とする。
【発明の効果】
【００１８】
本発明によれば、リカバリー要求メッセージを通知する場合、ユーザ記録紙名、プリンタ用紙名のいずれを使用するかを、記録紙の種類毎に設定できるようになる。
【発明を実施するための最良の形態】
【００１９】
以下、添付図面に従って本発明に係る実施形態を詳細に説明する。
【００２０】
実施形態では、画像形成装置として、フルカラーマルチファンクションデジタル複写機(以下、単にカラー複写機とする)を採用した場合について説明する。図２は実施形態におけるカラー複写機のブロック構成図である。
【００２１】
同図において、符号１０００が実施形態におけるカラー複写機であり、以下の構成を備える。
【００２２】
図中、１００はカラー複合機１０００にプリント基板として実装されるデバイスコントローラである。１５０は各種スイッチやボタン、及び、液晶表示器等で構成される操作部である。１５１はプリンタエンジンであり、実施形態ではＹ（イエロー）、Ｍ（マゼンタ）、Ｃ（シアン）及びＫ（ブラック）の４色記録するための４つの露光部で構成される。１５２は原稿を光学的に読取り画像データとして取込むスキャナである。
【００２３】
デバイスコントローラ１００は、装置全体の制御する制御部１０１を備えている。この制御部１０１はＣＰＵ、その処理手順（プログラム）を記憶しているＲＯＭ、及び、ワークエリアとして使用するＲＡＭで構成される。１０２は本装置をネットワークに接続するためのネットワークインタフェースである。１０３は外部装置と高速にデータ通信するための拡張インタフェースである。１０４は、制御部１０２がＰＤＬデータから生成したビットマップデータの圧縮、及び、圧縮データからビットマップデータに伸長する画像圧縮・伸長部である。１０５は操作部１５０を接続するための操作部インタフェースであり、操作部１５０より入力された各種スイッチの状態を制御部１０２に通知したり、操作部１５０の液晶表示器に表示させる情報を送信するためのものである。１０６はプリンタエンジンインタフェースであり、プリンタエンジンへ１５１への印刷イメージデータの転送処理と、プリンタエンジン１５１に設けられたステータス信号（記録紙の有無、ジャム発生等のセンサ信号）を制御部１０１に通知する。１０７はスキャナインタフェースであり、制御部１０１の制御下でスキャナ１５２への読取開始等の指示情報の送信と、スキャナ１５２で読取った画像データを入力する。１０８はハードディスク等の記憶装置であって、この中にはプリンタ用紙ＤＢ（データベース）１０８ａが格納されている。また、受信した印刷ジョブに基づいて展開したビットマップイメージデータは、画像圧縮・伸長部１０４で圧縮符号化されるが、記憶装置１０８はこの圧縮データを格納するためにも用いられる。１０９はＦＡＸインタフェースであり、ＦＡＸ送受信を行なうためのモデムを内蔵する。
【００２４】
図３は実施形態のカラー複写機１０００のプリンタエンジン部の断面構造図である。
【００２５】
図中、３１３は、ポリゴンミラーであり、４つの半導体レーザより発光された４本のレーザ光を受ける。その内の１本はミラー３１４、３１５、３１６をへて感光ドラム３１７を走査露光することになる。また、次の１本はミラー３１８、３１９、３２０をへて感光ドラム３２１を走査露光する。次の１本はミラー３２２、３２３、３２４をへて感光ドラム３２５を走査露光する。次の１本はミラー３２６、３２７、３２８をへて感光ドラム３２９を走査露光する。
【００２６】
一方、３３０はイエロー(Ｙ)のトナーを供給する現像器であり、レーザ光に従い、感光ドラム３１７上にイエローのトナー像を形成するために用いられる。３３１はマゼンタ(M)のトナーを供給する現像器であり、レーザ光に従い、感光ドラム３２１上にマゼンタのトナー像を形成するために用いられる。３３２はシアン(C)のトナーを供給する現像器であり、レーザ光に従い、感光ドラム３２５上にシアンのトナー像を形成するために用いられる。３３３はブラック(K)のトナーを供給する現像器であり、レーザ光に従い、感光ドラム３２９上にマゼンタのトナー像を形成するために用いられる。以上４色（Ｙ，Ｍ，Ｃ，Ｋ）のトナー像が搬送されてきた記録媒体（記録シート）に転写され、フルカラーの出力画像を得ることができる。
【００２７】
記録媒体は、シートカセット３３４、３３５および、手差しトレイ３３６のいずれかより給紙される。そして、レジストローラ３３７を経て、転写ベルト３３８上に吸着され、搬送される。また、給紙のタイミングと同期がとられて、各感光ドラム３１７、３２１、３２５、３２９には各色のトナーが現像され、シートの搬送とともに、トナーがシートに転写される。各色のトナーが転写されたシートは、搬送ベルト３３９により搬送され、定着器３４０によって、トナーがシートに定着される。定着器３４０を抜けたシートはフラッパ３５０により一旦下方向へ導かれてシートの後端がフラッパ３５０を抜けた後、スイッチバックさせて排出する。これによりフェイスダウン状態で排出され、先頭頁から順にプリントしたときに正しいページ順となる。
【００２８】
なお、４つの感光ドラム３１７、３２１、３２５、３２９は、距離ｄをおいて、等間隔に配置されており、搬送ベルト３３９により、シートは一定速度ｖで搬送されており、このタイミング同期がなされて、４つの半導体レーザは駆動される。
【００２９】
上記構成において、クライアントＰＣよりＰＤＬ（Page Description Language）で記述された印刷ジョブを受信すると、制御部１０１は受信した印刷ジョブを解釈して各ページのビットマップイメージデータを展開する。画像圧縮伸長部１０４が各ページのビットマップデータを順次圧縮符号化しては記録装置１０８に格納する。また、制御部１０１は、記憶装置１０８に記憶された圧縮符号化データを順に読出しては伸長（復号）し、各色成分毎のビットマップデータを所定のタイミングでプリンタエンジン１５１に転送する。プリンタエンジン１５１は、各色成分毎のビットマップデータに基づく走査露光を行なって、記録紙上に画像を形成し、外部に排出する。
【００３０】
このとき利用する記録紙は、受信した印刷ジョブで指定された記録紙を収容しているシートカセット３３４、３３５、或いは手指しトレイ３３６のいずれかからのものを利用することになる。そのため、シートカセット３３４、３３５、手指しトレイ３３６については、記録紙の種類を予め設定する必要がある。
【００３１】
図５は記憶装置１０８に格納されているプリンタ用紙ＤＢ１０８ａの構造の一例を示している。図示のように、プリンタ用紙データベースは、１行（１レコード）は１記録紙に関する情報を示し、１行は更に幾つかのフィールド５１乃至５７を有する。フィールド５１は記録紙のおおざっぱな種類情報を格納する。「基本」、「拡張」は、カラー複写機のメーカがその製造段階で登録するものであり、「カスタム」はユーザが任意に設定登録できるものである。フィールド５２はその記録紙に付けられた名前（以下、プリンタ用紙名称という）であり、フィールド５６は単位面積当たりの重さである坪量情報である。フィールド５４はその表面特定情報、フィールド５５は記録紙のロール特性情報である。５６はプリンタエンジン１５１でトナー像を記録紙に転写する転写機に与える電流のデフォルトに対する補正量情報を格納し、フィールド５７は記録紙の表面の光沢性の度合情報である。管理者は必要に応じて、新たな記録紙に関する情報を、このＤＢ１０８ａに登録することが可能である。登録は、操作部１５０を操作することで行われる。
【００３２】
また、実施形態の場合、給紙元はシートカセット３３４、３３５、及び手指しトレイ３３６の３つであるので、管理者はこれら３つの給紙元それぞれに対して、プリンタ用紙ＤＢ１０８ａ中のどの記録紙を対応づけるかを設定登録しておく。この設定も操作部１５０を操作することで行われる。図４は記憶装置１０８に保持された給紙元と記録紙の対応づけテーブルである。
【００３３】
従って、ネットワークから受信した印刷ジョブ中に、記録紙として普通紙を使用することを示す記述があった場合には、図４の例に従えば、シートカセット３３４を選択することになる。すなわち、シートカセット３３４から搬送されてきた記録紙に対して、フィールド５６等で設定された条件に従って印刷処理が行われることになる。
【００３４】
以上実施形態におけるカラー複合機１０００について説明したが、このカラー複写機１０００がカラープロファイルを利用した画像形成機能を持っていず、且つ、ユーザはそのカラープロファイルを利用した高度な印刷を要望しているとする。
【００３５】
この場合、図１に示すように、その要望に応えるための独立したコントローラ装置２０００を、ネットワークとカラー複合機１０００との間に介在させる。
【００３６】
このコントローラ装置２０００は、２つのネットワークインタフェース２０２、２０７を有する。ネットワークインタフェース２０２はクライアント端末が接続されているネットワーク３０００と接続するためのインタフェースであり、ネットワークインタフェース２０７はカラー複写機１０００と接続するためのインタフェースである。このコントローラ装置２０００は、後述するように、カラープロファイルに従ってビットマップイメージを生成する機能を有する。ビットマップデータは情報量が多く、カラー複写機への転送も高速に行なえることが望ましい。そこで、この高速転送を行なうため、図示のようにビデオインタフェース２０６を備える。このビデオインタフェース２０６を、カラー複写機１０００の拡張インタフェース１０３に接続する。これに伴い、コントローラ装置２０００とカラー複写機１０００とを結ぶネットワーク４０００は、主にステータス情報、各種指示情報の送受信に利用する。また、ビットマップデータは上記のように、その情報量が多いので、画像圧縮部２０５を備える。この画像圧縮部２０５の圧縮アルゴリズムは、カラー複写機１０００の画像圧縮伸長部１０４と同じである。
【００３７】
また、コントローラ装置２０００には、上記のようにカラープロファイルに従ってＰＤＬデータからビットマップイメージを生成するが、この処理を行なうための画像処理部２０４を備える。また、各種カラープロファイルを格納したり、記録紙に関するデータベース２０１ａを格納するための記憶装置２０１を備える。このデータベースを以下、ユーザ用紙ＤＢ２０１ａとする（カラー複写機１０００が有するデータベースが「プリンタ用紙ＤＢ」である点に注意されたい）。
【００３８】
コントローラ装置２０００の記憶装置２０１のユーザ用紙ＤＢ２０１ａは図６に示す構造を有する。
【００３９】
フィールド６１には、コントローラ装置２０００に対して、使用する記録紙に関する名称情報を格納する（以下、この名称をユーザ用紙名とする）。このユーザ用紙名の設定は、所定のクライアント端末から行なう。具体的には、管理者が管理者権限でクライアント端末からログインして設定することになるが、その詳細は後述する。フィールド６２は、カラー複写機１０００に登録されているプリンタ用紙名（図５のフィールド５２）が格納される。フィールド６３は画像処理で利用するカラープロファイルを特定するエリアであり、「−」はカラープロファイルを利用しないことを示している。フィールド６４は、報知名称指示情報を格納する。この報知名称指示情報は、カラー複写機１０００からエラー（記録紙無し、ジャム等のエラー）を受信した際に、フィールド６１（ユーザ用紙名称）、フィールド６２（プリンタ用紙名称）のいずれの名称を利用したメッセージを通知するかを定義するものである。フィールド６５は記録紙のサイズ情報を格納する。
【００４０】
コントローラ装置２０００のユーザ用紙ＤＢ２０１ａへのデータ登録は、先に説明したように、管理者が所有しているクライアント端末上で、設定登録のためのアプリケーションを実行することで行われる。
【００４１】
図７は、このアプリケーションのＧＵＩを示している。なお、コントローラ装置２０００に管理者権限でのログインは、管理者ＩＤ及びパスワードを入力して行われるが、このログイン方法そのものは公知のものであるので、その説明は省略する。
【００４２】
管理者がクライアント端末上でユーザ用紙設定アプリケーションを起動し、ログインに成功すると図７のＧＵＩウインドウ７０が表示される。管理者は、クライアント端末のキーボードやポインティングデバイスを用いて、目的とする欄を指定し、必要に応じて文字列や数字を入力する。
【００４３】
図示において、７１はユーザ用紙名称を入力する欄であり、管理者が自由にその名称を設定することができる。７２はカラープロファイルを選択するためのコンボボックスである。このコンボボックス７２の右端の三角マークを、ポインティングデバイスでクリックすると、コントローラ装置２０００の記憶装置２０１に予め登録されたカラープロファイルの一覧がプルダウン表示される。管理者はその一覧の中から１つを選択することになる。ただし、カラープロファイルを利用しない場合には、このコンボボックス７２は空白のままで構わない。
【００４４】
また、新たなカラープロファイルを、クライアント端末上で作成した、或いは、外部から入手した場合には、そのカラープロファイルをコントローラ装置２０００にアップロードし、記憶装置２０１に登録することも可能である。カラープロファイルをアップロードする場合には、ボタン７３をクリックすることで行なう。このボタン７３がクリックされると、クライアント端末のローカルなハードディスク等に記憶されたファイルを検索するためのダイアログボックスが表示されるので、それを利用して目的のカラープロファイルを選択することができる。選択されたカラープロファイルは、所定のプロトコル（ｆｔｐ等）によって、コントローラ装置２０００に送信され、記憶装置２０１内のカラープロファイルを格納するためのフォルダ内に格納される。従って、新規なカラープロファイルを利用する場合には、一度、アップロードを行ない、その後で、コンボボックス７２を操作することで、利用可能になる。
【００４５】
７４は、記録紙に関する各種パラメータを設定するための領域である。図示の様に、プリンタ用紙名称、用紙サイズ、坪量、表面性等の設定項目がスクロール可能に設けられている。基本的に、この領域７４内の各項目への入力は必須であるが、管理者が全てを知っている必要はない。実施形態では、管理者の負担を軽減させるため、図示の検索ボタン７５とエリア７６を設けた。
【００４６】
管理者は、自身の知っている限りの項目に対する情報を、エリア７４に対して入力を行ない、検索ボタン７５をクリックする。この結果、本アプリケーションプログラムは、エリア７４内で入力された項目の情報と検索要求コマンドとをコントローラ装置２０００に送信する。コントローラ装置２０００の制御部２０３は、この要求を受信すると、通常のクライアント端末と同様に、印刷用紙に関する情報の要求を、カラー複写機１０００に対して、ネットワークインタフェース２０７を介して送信する。この結果、カラー複写機１０００の制御部１０１は、記憶装置１０８に記憶されたプリンタ用紙ＤＢ１０８ａ内の全データをコントローラ装置２０００に送信する。従って、コントローラ装置２０００は、カラー複写機からの情報中に、クライアント端末で設定された項目に一致する記録情報を検索し、その結果をクライアント端末に送信する。
【００４７】
クライアント端末のアプリケーションは、上記のようにして、入力項目に一致する記録用紙に関する情報を、エリア７６に選択可能に表示する。管理者は、その中の所望とする記録紙に関する情報を選択することで、エリア７４に未入力であった項目に、該当する情報を設定することが可能になる。
【００４８】
チェックボックス７７は、ユーザ用紙名称（欄７１に入力された名称）を、プリンタ用紙名称と同じにするか否かを設定するものである。このチェックボックス７７がチェックされると、ユーザ用紙名の欄７１は、検索されたプリンタ用紙の名称で置き換えられる。従って、このチェックボックスをチェックすると、カラー複写機１０００が保持するプリンタ用紙名称と、コントローラ装置２０００が保持するユーザ用紙名称とが一致することになる。換言すれば、チェックボックス７１がチェックされて登録が行われると、図６のフィールド６１とフィールド６２には同じ用紙名が格納されることになる。
【００４９】
チェックボックス７８は、カラー複写機１０００において記録紙無しやジャム等のリカバリーが必要になった場合の対処法を設定するためのものである。すなわち、クライアント端末に対して、プリンタ用紙名称を用いたメッセージを送信するか、ユーザ用紙名称を用いたメッセージを送信するかを設定する。このチェックボックス７８がチェックされた場合、リカバリーメッセージには図６におけるフィールド６２に格納されたプリンタ用紙名称を用いる。逆に、チェックボックス７８が未チェックの場合には、該当する印刷ジョブを発行したクライアント端末へのリカバリーメッセージは、ユーザ用紙名称（フィールド６１のデータ）を利用することになる。
【００５０】
上記設定内容で登録する場合には、ＯＫボタンをクリックする。この結果、コントローラ装置２０００内の記憶装置２０１のデータベースに、設定した情報が追加登録されることになる。
【００５１】
上記ユーザ用紙設定アプリケーションの概要を説明したが、その処理手順の詳細を図８に示すフローチャートに従って説明する。
【００５２】
先ず、ステップＳ１において、図７のＧＵＩウインドウを表示する。この後、ステップＳ２で操作者（管理者）からの指示入力を待ち、ステップＳ３で指示入力を判別する。
【００５３】
欄７１、７２、７４のいずれかに対する入力であると判断した場合には、ステップＳ４に進んで、入力された文字や数値文字を該当する欄に表示する。
【００５４】
また、ボタン７３のクリックであると判断した場合には、ステップＳ５に進んで、ダイアログボックス（不図示）を表示し、アップロード対象のカラープロファイルを選択させる。そして、ステップＳ６に進んで、カラープロファイルをコントローラ装置２０００に送信する。この結果、コントローラ装置２０００は、自身の記憶装置２０１の所定のフォルダ内に、そのカラープロファイルを格納することになる。
【００５５】
また、検索ボタン７５がクリックされたと判断した場合には、ステップＳ７に進んで、エリア７４内の入力済みデータを検索キーにし、コントローラ装置に２０００に対して検索要求コマンドを発行する。この結果、コントローラ装置２０００からは、一致するプリンタ用紙情報の各フィールド（図５参照）が返送されてくるので、それをエリア７６に選択可能に表示させる（ステップＳ８）。
【００５６】
この後、エリア７６内に表示された中から所望とするプリンタ用紙情報を選択がなされたこを検出すると（ステップＳ９）、エリア７４内の未入力となっていた各入力欄に、選択したプリンタ用紙情報の各データを入力して表示させる（ステップＳ１０）。
【００５７】
また、ＯＫボタン７９がクリックされたと判断した場合には、処理はステップＳ１１に進み、全項目について入力があるか否かを判断する。未入力項目があれば、ステップＳ１２でエラー表示し、ステップＳ２に戻る。
【００５８】
また、全項目について入力があると判断した場合には、ステップＳ１３に進んで、チェックボックス７７がチェックされているか否かを判断する。すなわち、ユーザ用紙名にプリンタ用紙名を設定するか否かを判断する。ここでチェックボックス７７がチェックされていると判断した場合には、ユーザ用紙名（欄７１）の文字列をプリンタ用紙名で置き換える。
【００５９】
次いで、ステップＳ１５に進んで、チェックボックス７８がチェックされているか否かを判断する。すなわち、リカバリーメッセージで報知する記録用紙の名前として、プリンタ用紙名を利用するか、ユーザ用紙名を利用するかを判断する。チェックボックス７８が非チェック状態であれば、ステップＳ１６に進んで、報知名としてユーザ用紙名を設定するように設定する。また、チェックボックス７８がチェック状態であると判断した場合には、ステップＳ１７に進み、報知名としてプリンタ用紙名を設定するように設定する。
【００６０】
この後、ステップＳ１８に進んで、上記設定情報を登録コマンドと共にコントローラ装置２０００に送信し、ユーザ用紙ＤＢ２０１ａに登録を行なわせる。
【００６１】
先に説明したように、ネットワーク３０００上の各クライアント端末からは、コントローラ装置２０００があたかもネットワークプリンタとして見えることになる。つまり、各クライアント端末には、コントローラ装置２０００をネットワークプリンタとして認識するためのプリンタドライバがインストールされることになる。従って、各クライアントから印刷ジョブを発行する場合には、次のようになる。
【００６２】
先ず、クライアント端末のユーザ（管理者である必要はない）が、適当なアプリケーションプログラムを実行して印刷指示を行なう。この結果、クライアント端末にインストールされたプリンタドライバが起動することで、印刷に関する設定ウインドウが表示される。図９はその設定ウインドウの一例であり、印刷するページ範囲、印刷部数を入力する欄、及び、印刷用紙を選択するためのコンボボックス９０で構成されるウインドウが表示される。なお、説明を簡単なものとするため、図示では３つの条件について示している。
【００６３】
ここで、印刷用紙の選択のためのコンボボックス９０の右端をクリックすると、コントローラ装置２０００に対して、ユーザ用紙ＤＢ２０１ａの情報取得要求を行なう。そして、その結果取得された情報中のユーザ用紙名一覧を表示し、操作者に選択させることになる。最終的にＯＫボタンをクリックすることで、設定した条件に従ってＰＤＬ形式の印刷ジョブデータを生成し、コントローラ装置２０００に送信することになる。
【００６４】
さて、上記のように、コントローラ装置２０００にはユーザ用紙ＤＢ２０１ａが構築され、ネットワーク上の各クライアントはコントローラ装置２０００の画像処理機能（実施形態ではカラープロファイル）を利用した印刷処理が行なえることになる。ここで、カラー複写機１０００において、リカバリーを要求するエラーが発生した場合、カラー複写機１０００はネットワークインタフェース１０２を介してリカバリー要求メッセージを送信する。例えば、シートカセット３３５の記録紙が無くなった場合、図４に従えば「再生紙が無くなったので、補充して下さい」というメッセージになる。
【００６５】
図１の構成によれば、このリカバリー要求メッセージはコントローラ装置２０００が受信することになる。実施形態におけるコントローラ装置２０００の制御部２０３は、このリカバリー要求メッセージに含まれるプリンタ用紙名（この場合には、「再生紙」）をキーにして、記憶装置２０１内のユーザ用紙ＤＢ２０１ａのフィールド６２を検索する。ユーザ用紙ＤＢ２０１ａが図６のデータを記憶保持している場合、第１レコード（図示の矢印で示されるレコード）が、メッセージ中のプリンタ用紙名と一致するので、そのレコードの報知名フィールド６４の情報を取得する。報知名フィールド６４は、図示の場合「ユーザ用紙名を使用」となっているので、上記メッセージを「社外秘Ａ４が無くなったので、補充して下さい」と変換する。そして、その変換されたメッセージを、該当する印刷ジョブを発行したクライアント端末に送信し、表示させる。図１０（ａ）は、この場合のクライアント端末に表示されるエラーメッセージの例である。すなわち、カラー複写機１０００に登録された用紙名ではなく、コントローラ装置２０００に登録された用紙名を用いたメッセージを、該当するジョブを発行したクライアント端末に送信する。
【００６６】
一方、カラー複写機１０００からのメッセージが「厚紙が無くなったので、補充して下さい」というリカバリー要求メッセージをコントローラ装置２０００が受信した場合、図６のユーザ用紙ＤＢに従えば、プリンタ用紙名を利用することになる。従って、図１０（ｂ）のメッセージがクライアント端末の表示画面に表示させる。なお、エラーメッセージの表示処理は、クライアント端末にインストールされたプリンタドライバが行なうことになる。
【００６７】
上記処理を実現するため、実施形態におけるコントローラ装置２０００の処理手順を図１１乃至図１３のフローチャートに従って説明する。なお、同フローチャートに対応するプログラムは、制御部２０３内のＲＯＭに格納されているものである。
【００６８】
先ず、ステップＳ２１、Ｓ２２ではネットワークインタフェース２０２、２０７のいずれかより何らかのデータを受信したか否かを判断する。
【００６９】
ここで、ネットワークインタフェース２０２からの受信、すなわち、ネットワーク３０００上のクライアント端末から受信であると判断すると、処理はステップＳ２３に進んで、受信したデータを判別する。
【００７０】
ユーザ用紙情報の要求であると判断した場合、すなわち、図９のコンボボックス９０が指定され、クライアント端末で印刷する際の用紙種類を問い合わせる要求であると判断した場合には、処理はステップＳ２４に進む。このステップＳ２４では、ユーザ用紙ＤＢ２０１ａの内容を要求元クライアント端末に送信する。
【００７１】
また、検索要求であると判断した場合、すなわち、管理者による図７の検索ボタン７５がクリックされたことによって発生した要求メッセージであると判断した場合、処理はステップＳ２５に進む。このステップＳ２５では、カラー複写機１０００に対して用紙種類を問い合わせる要求を発行する。この結果、カラー複写機１０００からは、プリンタ用紙ＤＢ１０８ａ内のデータが転送されてくる。従って、ステップＳ２６では、プリンタ用紙ＤＢ１０８ａのデータ中に、クライアント端末から検索要求メッセージに含まれる項目データ（１つとは限らない）と一致するものを検索する。そして、ステップＳ２７で、一致したプリンタ用紙情報（図５に示す各フィールドの情報）を要求元のクライアント端末に送信する。
【００７２】
また、ユーザ用紙ＤＢ２０１ａへの登録要求であると判断した場合には、ステップＳ２８に進んで、受信した登録要求コマンドに付属するユーザ用紙名、プリンタ用紙名、カラープロファイル等（図６参照）を、ユーザ用紙ＤＢ２０１ａに登録する。
【００７３】
また、印刷ジョブの受信であると判断した場合には、処理はステップＳ２９（図１２）に進む。このステップＳ２９では、受信した印刷ジョブを解釈を行なう。このとき、印刷ジョブの発行元のクライアント端末を識別するための情報（例えばＩＰアドレス）を記憶装置２０１に一時的に記憶しておく。そして、ステップＳ３０にて、カラープロファイルを用いる指示命令が含まれているか否かを判断する。カラープロファイルを用いる指示命令があると判断した場合には、ステップＳ３２に進む。ステップＳ３２では、その指示命令で特定されたカラープロファイルを記憶装置２０１より読出し、画像処理部２０４を用いて、各記録色成分Ｙ，Ｍ，Ｃ，Ｋの各ビットマップデータを生成する。また、カラープロファイルを用いる指示命令が存在しない場合には、ステップＳ３１に進む。このステップＳ３１では、カラープロファイル無しで各記録記録色成分のビットマップデータを生成する。なお、印刷ジョブが通常の文字のみで構成されるモノクロ文書の印刷ジョブの場合には、Ｋ成分のみのビットマップデータを生成する。
【００７４】
この後、ステップＳ３３に進んで、生成された１ページ分の出力用画像データを圧縮符号化する。そして、ステップＳ３４にて、ビデオインタフェース２０６を介してカラー複写機１０００に送信する。このとき、どのシートカセットを使用するかを示す情報も合わせて送信する。
【００７５】
このどのカセットとを使用するかを示す情報をどのようにして送信するかを説明する。まず、クライアント端末から入力したジョブで指示されているユーザ用紙名を図６のデータをサーチして対応するプリンタ用紙名に変換する。そして予めカラー複写機１０００から取得しておいた図４の情報と、変換したプリンタ用紙名とを元にどのカセットを使用するか選択し、選択されたどのカセットを使用するかを示す情報を送信できる。
【００７６】
なお、クライアント端末から入力されたジョブで指示されているユーザ用紙名を図６のデータをサーチして対応するプリンタ用紙名に変換する。そして、変換したプリンタ用紙名をカラー複写機１０００に送信し、カラー複写機１０００でプリンタ用紙名を元にカセットの選択を行ってもよい。
【００７７】
カラー複写機１０００は、拡張インタフェース１０３を介して、この圧縮符号化された画像データを受信することになる。カラー複写機１０００の制御部１０１は、受信した圧縮符号化された出力用画像データを一旦記憶装置１０８に格納し、プリンタエンジン１５１の印刷処理に適したタイミングで画像圧縮・伸長部１０４によって伸長（復号）させる。そして、ビットマップデータに伸長した結果を、プリンタエンジン１５１に出力することで、印刷を行なうことになる。
【００７８】
さて、ステップＳ３３の処理が終了すると、処理はステップＳ３５に進んで、受信した印刷ジョブに基づく全ページの出力用画像データのカラー複写機１０００への転送が完了したか否かを判断する。否の場合には、ステップＳ２９以降の処理を繰り返すことになる。
【００７９】
以上が実施形態におけるコントローラ装置２０００におけるネットワークインタフェース２０２から受信したデータに対する処理である。次に、ネットワークインタフェース２０７、すなわち、カラー複写機１０００からデータを受信した場合の処理を図１３のフローチャートに従って説明する。この処理は、図１１におけるステップＳ２１がＹｅｓと判断された場合の処理でもある。
【００８０】
ステップＳ３６では、カラー複写機１０００から受信したデータがリカバリー要求メッセージであるか否かを判断する。リカバリー要求メッセージとは、先に説明したように記録紙無し、記録紙が装置内部に詰まった（ジャム）等のエラー発生を通知するメッセージである。リカバリー要求メッセージ以外のメッセージであると判断した場合には、ステップＳ３７に進んで対応する処理を行なう。
【００８１】
また、リカバリー要求メッセージを受信したと判断した場合には、ステップＳ３８に進んで、リカバリー要求メッセージ中に記述されているプリンタ用紙名をキーにして、ユーザ用紙ＤＢ２０１ａを検索する。そして、ステップＳ３９に進んで、検索して得られたレコードのフィールド６４（図６参照）に基づき、クライアント端末に報知する用紙名称をユーザ用紙名にするか、プリンタ用紙名にするかを判断する。ユーザ用紙名とすると判断した場合には、ステップＳ４０に進んで、ユーザ用紙名をフィールド６１（図６参照）から取得し、リカバリーメッセージを生成する。また、プリンタ用紙名を用いると判断した場合には、ステップＳ４１で、プリンタ用紙名をフィールド６２から取得し、リカバリーメッセージを生成する。
【００８２】
そして、ステップＳ４２に進み、記憶装置２０１に記憶した印刷ジョブ発行元のクライアント端末に向けて、生成したリカバリーメッセージを送信する。なお、このとき、生成したリカバリーメッセージをコントローラ装置２０００のパネル等の表示部に表示させてもよい。また、生成したリカバリーメッセージをカラープリンタ１０００に送信し、カラー複写機１０００にリカバリーメッセージを表示させてもよい。また、コントローラ装置２０００に表示されるメッセージをリモートＵＩでクライアント端末から見ることができる構成にしてもよい。また、予め設定された特定のクライアント端末に対してもリカバリーメッセージを送信するようにしても良い。
【００８３】
以上説明したように本実施形態によれば、ネットワーク接続可能なカラー複写機等の印刷装置が対処できない画像処理を実現するコントローラ装置を、その印刷装置とネットワークとの間に介在させることで、ユーザが要求する高度な印刷が可能になる。また、この際に、コントローラ装置には、管理者が自由にユーザ用紙名を設定できるので、記録紙銘柄等の知識を不要にできることになる。そして、印刷装置が記録紙に関するリカバリー要求メッセージを発行した場合、ユーザの運用形態に合わせて、プリンタ用紙名、ユーザ用紙名のいずれを採用したリカバリーメッセージをクライアント端末に送信するかを設定できるようになる。
【００８４】
なお、上記実施形態では、図７におけるチェックボックス７７、７８に対する処理をクライアント端末側で行なうものとして説明した。しかし、チェックボックス７７、７８のチェック／非チェック状態情報をコントローラ装置２０００に送信するようにしても良い。この場合、図８におけるステップＳ１５乃至Ｓ１７に相当する処理はコントローラ装置２０００の制御部２０３が実行することになる。
【００８５】
＜第２の実施形態＞
上記実施形態では、ユーザ用紙データベースにユーザ用紙データを登録する際に、プリンタ用紙データのサブセットを取得して登録した。しかし、これをあらかじめプリンタに積載されている用紙のプリンタ用紙データからユーザ用紙データを登録するようにしてもよい。
【００８６】
この場合には、カラー複写機が有する所望とするシートカセットに、あらかじめ所望の登録対象用紙をセットしておき、プリンタ側で正しいプリンタ用紙データで登録しておく。この状態でユーザ用紙データ登録を行う。
【００８７】
図１４は、この場合のユーザ用紙データ登録に係るＧＵＩの例である。図７と異なる点は、用紙トレイを設定するコンボボックス１４００が追加された点であり、それ以外は同じである。コントローラ装置２０００は、ネットワークインタフェース２０７に接続可能な印刷装置（カラー複写機を含む）のデータベース（各機種のハードウェア構成情報を格納しているデータベース）を記憶装置２０１に記憶保持しているものとする。そして、カラー複写機１０００を特定する情報をコントローラ装置２０００に設定する。この結果、図１４のＧＵＩを表示したクライアント端末に対し、接続された印刷装置が有するシートカセットの名称一覧を通知する。この結果、図示のコンボボックス１４００によりその中の１つが設定できるようになる。これに伴い、コントローラ装置２０００内のユーザ用紙ＤＢには、シートカセット名を格納するフィールドを追加する。
【００８８】
上記の結果、コントローラ装置２０００は、例えば、「シートカセット１に格納さえれた用紙（ユーザ用紙名orプリンタ用紙名）が無くなったので、補充して下さい。」というリカバリーメッセージを送信することが可能になる。
【００８９】
なお、実施形態では、コントローラ装置２０００に接続する装置をカラー複写機等の複合機を例にしたが、印刷機能のみを有する印刷装置単体であっても構わない。また、実施形態では、リカバリーメッセージとして、用紙無し、ジャム等を例にしたが、これに用紙に関するエラーメッセージであればこれに限らない。また、実施形態では、コントローラ装置２０００の画像処理の例としてカラープロファイルを利用したビットマップデータを生成する例を説明した。しかし、最終的に印刷装置で使用する出力用画像データを生成するまでの間に、新たな機能を付加するところに特徴があるので、カラープロファイル利用に基づく画像処理に限定されるものでもない。
【００９０】
また、実施形態では、コントローラ装置２０００と印刷装置（カラー複写機１０００）とは、ネットワークインタフェースだけでなく、別系統の高速転送バス（ビデオインタフェース：拡張インタフェース）で接続する例を説明した。それら２つの装置間のネットワークインタフェースの転送速度が十分である場合には、この別系統バス接続は無くても構わない。ただし、現状でのイーサネット（登録商標）での最高速度は１００Ｍｂｐｓ程度であるので、本実施形態で説明したように、それ専用のバスで接続することが望ましい。
【図面の簡単な説明】
【００９１】
【図１】図１は実施形態における印刷システムのブロック構成図である。
【図２】図２は実施形態におえるカラー複写機のブロック構成図である。
【図３】図３は実施形態におけるカラー複写機のプリンタエンジン部の断面構造図である。
【図４】図４は実施形態におけるカラー複写機に設定された記録紙とシートカセットとの対応テーブルの例を示す図である。
【図５】図５は実施形態のけるカラー複写機に記憶されているプリンタ用紙データベースの構造を示す図である。
【図６】図６は実施形態におけるコントローラ装置に記憶されているユーザ用紙データベースの構造を示す図である。
【図７】図７はユーザ用紙データの登録のためのＧＵＩの例を示す図である。
【図８】図８はクライアント端末におけるユーザ用紙データの登録処理を示すフローチャートである。
【図９】図９はクライアント端末での印刷処理時のＧＵＩの例を示す図である。
【図１０】図１０はクライアント端末に表示されるリカバリーメッセージの例を示す図である。
【図１１】図１１は実施形態におけるコントローラ装置が実行する処理手順を示すフローチャートである。
【図１２】図１２は実施形態におけるコントローラ装置が実行する処理手順を示すフローチャートである。
【図１３】図１３は実施形態におけるコントローラ装置が実行する処理手順を示すフローチャートである。
【図１４】図１４は第２の実施形態におけるユーザ用紙データの登録のためのＧＵＩの例を示す図である。
【図１】
0004632442.tif 000002
【図２】
0004632442.tif 000003
【図３】
0004632442.tif 000004
【図４】
0004632442.tif 000005
【図５】
0004632442.tif 000006
【図６】
0004632442.tif 000007
【図７】
0004632442.tif 000008
【図８】
0004632442.tif 000009
【図９】
0004632442.tif 000010
【図１０】
0004632442.tif 000011
【図１１】
0004632442.tif 000012
【図１２】
0004632442.tif 000013
【図１３】
0004632442.tif 000014
【図１４】
0004632442.tif 000015